(57)【要約】      （修正有）【課題】手で結び目を作る必要がないため誰もが弁当箱等を簡単に包装でき、把持部を持つことで手提げとして携行できる多目的利用のできる風呂敷を提供すること。【解決手段】風呂敷本体１０の切欠状対角部２カ所に把持部１１，１２を設け、片方の把持部の内側に、基部を本体に縫着し且つ内面側に第一面ファスナ１４を縫着したタブ１３を取り付けるとともに、他方の把持部の本体外面側に第一面ファスナと接合する第二面ファスナ１５を縫着する。更に前記把持部以外の対角部２カ所に、一方は本体内面側に、他方は本体外面側に位置する第三面ファスナ１６及び第四面ファスナ１７を夫々縫着する。【選択図】図１
0003150242.tif 000002
【実用新案登録請求の範囲】
【請求項１】
風呂敷本体の切欠状対角部２カ所に把持部を設け、片方の把持部の内側に、基部を本体に縫着し且つ内面側に第一面ファスナを縫着したタブを取り付けるとともに、他方の把持部の本体外面側に第一面ファスナと接合する第二面ファスナを縫着し、更に前記把持部以外の対角部２カ所に、一方は本体内面側に、他方は本体外面側に位置する第三面ファスナ及び第四面ファスナを夫々縫着したことを特徴とする手提げ式風呂敷。
【請求項２】
風呂敷本体が、二枚の布地を重ね合わせて形成されたものであることを特徴とする請求項１記載の手提げ式風呂敷。
【考案の詳細な説明】
【技術分野】
【０００１】  本考案は弁当箱などの包装作業が楽にでき、ランチョンマット・巾着等としても使用出来る手提げ式風呂敷に関する。
【背景技術】
【０００２】  通常の風呂敷は四角形をした薄い布状物で形成され、内側に書類・日用品などを収納できる便利な物入れとして利用されるが、物を収納後は角部を内方に折り曲げて対角線上にある角片同士を手で結ぶものであり、携行する場合は結んだ個所を把持するか、平たいものは風呂敷下面に手のひらを添えて支えるなどしている。このような単純にして旧態依然とした形態の風呂敷ではあるが広げるとかなりの大きさになり、大小様々な物入れとして手軽に利用されている。しかしてやゝ小さめとした風呂敷は弁当箱の包装用などにも好適するが、風呂敷自体の形態に変わりはなく、包装用以外に幅広く利用するには不向きであって、それゆえ風呂敷の端に持ち手を設けたり（特許文献１参照）、隅部に面ファスナーを取り付けるなどの工夫をしたもの（特許文献２参照）なども散見される。
【先行技術文献】
【特許文献】
【０００３】
【特許文献１】登録実用新案第３０９２３９３号公報
【特許文献２】登録実用新案第３００８６５８号公報
【考案の概要】
【考案が解決しようとする課題】
【０００４】  特許文献１のように風呂敷の角部２カ所に持ち手を設けると、物を収納後に持ち手の無い側の２カ所の角部同士を手で結ぶことになり、２カ所の持ち手を指で掴めばそのまゝ風呂敷を持ち運びできて手提げ式に使用できる。この技術によると２カ所の持ち手以外は従来のものと同様結び目を付けるという作業が必要であり、このため手の不自由な障害者・病弱者・或いは年少者などで手の力が弱かったり、不器用で結び目を形成するのに難渋する者にとっては使い勝手が悪いという懸念がある。【０００５】  また特許文献２のように風呂敷の対角線上にある二隅に面ファスナを設けると、弁当箱などの物を収納後に面ファスナ同士を接合することでその個所を覆うことができるが、この場合も残りの二隅同士を最後に結ぶという作業が必要となる。したがって結び目を形成するのが困難な障害者・病弱者等には特許文献１と同様の問題と、包装後は通常の風呂敷同様にして携行するため手提げとしての使用はできないといった不具合を伴っている。しかして特許文献１及び２にあってはいずれも包装する際に結び目を形成することに変わりはなく、このためその作業に少なからぬ手数が掛かるのと、結び目がゆるいと途中でほどけて収納物が落下するといった欠点、及び結び目が固いとほどくのが困難となるなどの問題点があった。【０００６】  本考案はこのような従来技術に鑑みてなされたもので、結び目を付ける作業を必要とせずに収納物を包装でき、しかも手提げ同様に携行することのできる手提げ式風呂敷を提供することを意図している。
【課題を解決するための手段】
【０００７】  すなわち本考案は風呂敷本体の対角部２カ所に把持部を設け、片方の把持部の内側に、基部を本体に縫着し且つ内面側に第一面ファスナを縫着したタブを取り付けるとともに、他方の把持部の本体外面側に第一面ファスナと接合する第二面ファスナを縫着し、更に前記把持部以外の対角部２カ所に、一方は本体内面側に、他方は本体外面側に位置する第三面ファスナ及び第四面ファスナを夫々縫着したことを主旨とする。【０００８】  風呂敷本体が、二枚の布地を重ね合わせて形成されたものであることを特徴とする。
【考案の効果】
【０００９】  風呂敷本体の内面側に収納される物、例えば弁当箱を置き、対角部２カ所に縫着した面ファスナ同士を接合するように本体を折り畳み、次いで把持部同士を近接してタブの面ファスナと他方の面ファスナを接合すると弁当箱は縦横方向から本体で包装される。したがって従来品のように本体の角部同士を両手で結ぶ必要がなく、弁当箱の包装作業が頗る確実迅速になされ、このため手の不自由な障害者や力のない年少者でも容易に正確な取り扱いができる。また把持部を掴むことでバッグのように携行できるため結び目を持つよりも安定感があって弁当箱を落としたり結び目が無いためほどけるといった懸念がない。【００１０】  風呂敷本体を二枚の布地で形成すると、弁当箱等を置く内面側に地味な色柄のものを配置し、外面側に人目をひく色柄のものを配置することによりデザイン上も優れた体裁の風呂敷が得られるとともに、食事時には内面側に弁当箱等を置くとランチョンマットとして使用でき、また面ファスナ同士の接合により袋状とすることが容易なため通常の巾着同様の使い方も可能で多目的利用ができる。
【図面の簡単な説明】
【００１１】
【図１】（ａ）は本案風呂敷を内面側から見た説明図であり、（ｂ）は外面側から見た説明図である。
【図２】弁当箱を包む過程を示す説明図である。
【図３】弁当箱を包装した本案風呂敷の説明図である。
【考案を実施するための形態】
【００１２】  図面に基づき本考案を説明すると、図１は内面側の布地１０ａと外面側の布地１０ｂを重ね合わせて形成した風呂敷本体１０を示すもので、内面側の部分に収納される物としての弁当箱２０が置かれる。本体１０の対角部２カ所（図では上部と下部）は切欠状とし中央部に両側端を本体１０内に縫着したほゞ半円状の把持部１１・１２が夫々設けられている。本体１０を構成する二枚の布地１０ａ・１０ｂは同じ柄でも、異なる柄としても良いが、通常は外面側のデザインよりも内面側を地味な色柄とすると内外の識別が容易になるとともに弁当箱２０の包装後は当然ながら外面側が人目をひく体裁となる。
【００１３】  片方の把持部１１（図では上部）の内側に、基部を本体１０に縫着した方形のタブ１３があり、このタブ１３の内面側に第一面ファスナ１４が縫着されている。そして第一面ファスナ１４と接合する第二面ファスナ１５が他方の把持部１２（図では下部）の本体１０外面側に縫着され、第一面ファスナ１４と第二面ファスナ１５の相互を合致させると把持部１１・１２同士を近接させることができる。
【００１４】  前記把持部１１・１２以外の対角部２カ所（図では左右）には、一方は本体１０の内面側に位置する長めの第三面ファスナ１６が、他方は本体１０の外面側に位置する長めの第四面ファスナ１７が夫々縫着されている。
【００１５】  図２は弁当箱２０を包む過程を示したもので、先ず本体１０における第四面ファスナ１７の側を弁当箱の上面に折り畳み、次いで第三面ファスナ１６の側を折り畳む。こうすることで第三面ファスナ１６が第四面ファスナ１７の表面に接合されるので、本体１０の左右横方向から弁当箱２０の上面が覆われる形となる。
【００１６】  図３は弁当箱２０を包装した完成状態を示したもので、前記図２の状態とした後に把持部１１・１２の側を内方に折り畳んで第二面ファスナ１５の上面にタブ１３を折り曲げて内面側の第一面ファスナ１４を接合する。こうすることで弁当箱２０は縦方向からも覆われる形となり弁当箱２０全面が本体１０で包装される。タブ１３が第二面ファスナ１５の上面に位置すると把持部１１・１２同士が近接し、したがって該把持部に手をあてがうことで立体的となった風呂敷を手提げのようにして携行できる。
【００１７】  本考案によると広げた風呂敷本体１０の中央に弁当箱２０を置いて包装する場合、図中左右の対角部を先ず折り畳み、次に上下の対角部を折り畳み、折り畳んだ夫々の対角部に位置する面ファスナ同士を接合すれば作業は完了するので従来のように結び目を作る手数は不要となる。面ファスナ同士の接合作業に特別の力をかける必要もないため手の不自由な障害者、ひ弱な年少者・高齢者などでも確実に包装できる。そして包装後は把持部１１・１２が上方に突出して持ち運びも楽になり、携行途中で結び目がほどけるといった従来のような不具合も生じないため安心して取り扱いできる。
【００１８】  上記の説明及び図示したものは一例であり、本考案の目的効果を奏する範囲において把持部の形状、左右面ファスナの位置と左右対角部の折り畳み順序等については任意の変更が可能であり、それらも本考案の実施の範疇に属すること勿論である。
【符号の説明】
【００１９】１０  風呂敷本体
１０ａ・１０ｂ  布地
１１・１２  把持部
１３  タブ
１４  第一面ファスナ
１５  第二面ファスナ
１６  第三面ファスナ
１７  第四面ファスナ
【図１】
0003150242.tif 000003
【図２】
0003150242.tif 000004
【図３】
0003150242.tif 000005